【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
データセンタ内で使用する空気流分配装置であって、
前記データセンタ内の少なくとも１つのサーバにおける複数のファンに結合されている少なくとも１つの空気流センサと、
前記少なくとも１つの空気流センサに結合され、前記複数のファンについて空気流を監視するとともに、検知された前記空気流に応じて前記データセンタ内での冷却を制御するように構成されるコントローラと
を備えることを特徴とする、空気流分配装置。
【請求項２】
データセンタのための換気システムであって、
床下プレナム空間の上にある上床と、
前記データセンタ内の少なくとも１つのキャビネットに配置されている複数のサーバにおける複数のファンに結合されている少なくとも１つの空気流センサと、
前記少なくとも１つの空気流センサに結合され、前記複数のファンについて空気流を監視するとともに、検知された前記空気流に応じて前記データセンタ内での冷却を制御するように構成されるコントローラと
を備えることを特徴とする、換気システム。
【請求項３】
前記コントローラは、検知された空気流から空気流のリアルタイムな動的マッピングを作成するようにさらに構成されることを特徴とする、請求項１に記載の空気流分配装置。
【請求項４】
グラフィカル・ユーザ・インタフェースをさらに備え、
前記コントローラは、前記グラフィカル・ユーザ・インタフェースを介して、現在のデータセンタ構成及び該データセンタ構成内の場所全体にわたる空気流を記述する、空気流のリアルタイムな動的マッピングを表示するように構成されることを特徴とする、請求項１に記載の空気流分配装置。
【請求項５】
コンピュータ室空調設備システムに結合される制御インタフェースをさらに備え、
前記コントローラは、前記制御インタフェースに結合されるとともに、検知された空気流に応じて前記コンピュータ室空調設備システムを制御するようにさらに構成されることを特徴とする、請求項１に記載の空気流分配装置。
【請求項６】
前記コントローラは、検知された空気流及びファンの場所に応じて三次元で空気流をマッピングするようにさらに構成されることを特徴とする、請求項１に記載の空気流分配装置。
【請求項７】
前記データセンタ内の少なくとも１つの位置にある少なくとも１つの温度計に結合するようになっている温度計インタフェースをさらに備え、
前記コントローラは、前記温度計インタフェースに結合され、前記データセンタ内の前記少なくとも１つの位置における周囲温度を測定するとともに、検知された空気流及びファンの場所に応じて多次元で空気流をマッピングするように構成され、
前記空気流のマッピング及び前記少なくとも１つの位置での周囲温度測定値に応じてデータセンタの換気状態をマッピングするようにさらに構成されることを特徴とする、請求項１に記載の空気流分配装置。
【請求項８】
前記データセンタ内の複数のサーバに結合するようになっているサーバインタフェースをさらに備え、
前記コントローラは、前記サーバインタフェースに結合され、前記複数のサーバにおける消費電力を監視すること、検知された空気流及びファンの場所に応じて多次元で空気流をマッピングすること、及び、前記サーバの消費電力及び前記空気流のマッピングに応じて前記データセンタ内での冷却を制御すること、を行うようにさらに構成されることを特徴とする、請求項１に記載の空気流分配装置。
【請求項９】
前記データセンタ内の複数のサーバに結合するようになっているサーバインタフェースをさらに備え、
前記コントローラは、前記サーバインタフェースに結合され、前記複数のサーバにおけるソフトウェア実行負荷を監視すること、検知された空気流及びファンの場所に応じて多次元で空気流をマッピングすること、及び、前記サーバのソフトウェア実行負荷及び前記空気流のマッピングに応じて前記データセンタの換気をマッピングすること、を行うようにさらに構成されることを特徴とする、請求項１に記載の空気流分配装置。
【請求項１０】
前記データセンタ内の少なくとも１つの位置にある少なくとも１つの温度計に結合するようになっている温度計インタフェースと、
前記データセンタ内の複数のサーバに結合するようになっているサーバインタフェースとをさらに備え、
前記コントローラは、前記温度計インタフェース及び前記サーバインタフェースに結合され、前記データセンタ内の前記複数のサーバにおけるソフトウェア実行負荷を監視するとともに、検知された空気流、ファンの場所、前記少なくとも１つの位置の周囲温度測定値、サーバの消費電力、及びサーバのソフトウェア実行負荷に応じて多次元で空気流をマッピングするようにさらに構成されることを特徴とする、請求項１に記載の空気流分配装置。
【請求項１１】
前記コントローラは、検知された空気流から空気流のリアルタイムな動的マッピングを作成するようにさらに構成されることを特徴とする、請求項２に記載の換気システム。
【請求項１２】
グラフィカル・ユーザ・インタフェースをさらに備え、
前記コントローラは、前記グラフィカル・ユーザ・インタフェースを介して、現在のデータセンタ構成及び該データセンタ構成内の場所全体にわたる空気流を記述する、空気流のリアルタイムな動的マッピングを表示するように構成されることを特徴とする、請求項２に記載の換気システム。
【請求項１３】
コンピュータ室空調設備システムに結合される制御インタフェースをさらに備え、
前記コントローラは、前記制御インタフェースに結合されるとともに、検知された空気流に応じて前記コンピュータ室空調設備システムを制御するようにさらに構成されることを特徴とする、請求項２に記載の換気システム。
【請求項１４】
前記コントローラは、検知された空気流及びファンの場所に応じて三次元で空気流をマッピングするようにさらに構成されることを特徴とする、請求項２に記載の換気システム。
【請求項１５】
前記データセンタ内の少なくとも１つの位置にある少なくとも１つの温度計に結合するようになっている温度計インタフェースをさらに備え、
前記コントローラは、前記温度計インタフェースに結合され、前記データセンタ内の前記少なくとも１つの位置における周囲温度を測定するとともに、検知された空気流及びファンの場所に応じて多次元で空気流をマッピングするように構成され、
前記空気流のマッピング及び前記少なくとも１つの位置での周囲温度測定値に応じてデータセンタの換気状態をマッピングするようにさらに構成されることを特徴とする、請求項２に記載の換気システム。
【請求項１６】
前記データセンタ内の複数のサーバに結合するようになっているサーバインタフェースをさらに備え、
前記コントローラは、前記サーバインタフェースに結合され、前記複数のサーバにおける消費電力を監視すること、検知された空気流及びファンの場所に応じて多次元で空気流をマッピングすること、及び、前記サーバの消費電力及び前記空気流のマッピングに応じて前記データセンタ内での冷却を制御すること、を行うようにさらに構成されることを特徴とする、請求項２に記載の換気システム。
【請求項１７】
前記データセンタ内の複数のサーバに結合するようになっているサーバインタフェースをさらに備え、
前記コントローラは、前記サーバインタフェースに結合され、前記複数のサーバにおけるソフトウェア実行負荷を監視すること、検知された空気流及びファンの場所に応じて多次元で空気流をマッピングすること、及び、前記サーバのソフトウェア実行負荷及び前記空気流のマッピングに応じて前記データセンタの換気をマッピングすること、を行うようにさらに構成されることを特徴とする、請求項２に記載の換気システム。
【請求項１８】
前記データセンタ内の少なくとも１つの位置にある少なくとも１つの温度計に結合するようになっている温度計インタフェースと、
前記データセンタ内の複数のサーバに結合するようになっているサーバインタフェースとをさらに備え、
前記コントローラは、前記温度計インタフェース及び前記サーバインタフェースに結合され、前記データセンタ内の前記複数のサーバにおけるソフトウェア実行負荷を監視するとともに、検知された空気流、ファンの場所、前記少なくとも１つの位置の周囲温度測定値、サーバの消費電力、及びサーバのソフトウェア実行負荷に応じて多次元で空気流をマッピングするようにさらに構成されることを特徴とする、請求項２に記載の換気システム。